(57)【特許請求の範囲】
【請求項１】
底板（１）と、その四辺に着脱可能に起立固定される、前、後側板（４，５）および左、右側板（２，３）とを備えた、組立式コンテナにおいて、
前記底板（１）の四辺の各縁部に、該底板（１）の内方に向けて開口する雌部を該底板（１）との間で形成する底板側受具（１ｆ）を一体的に設ける一方、前記前、後側板（４，５）および左、右側板（２，３）の各下縁には、前記底板側受具（１ｆ）に嵌合してそれら側板（４，５，２，３）を起立状態に保持し得る下部止具（４ｍ，５ｍ，２ｍ，３ｍ）を一体的に設け、さらに前記左、右側板（２，３）の側縁に、該左、右側板（２，３）の内方に向けて開口する雌部を該左、右側板（２，３）との間で形成する、前記底板側受具（１ｆ）と同じ構造の側板側受具（２ｆ，３ｆ）を一体的に設ける一方、前記前、後側板（４，５）の側縁には、前記側板側受具（２ｆ，３ｆ）に嵌合し得る側部止具（４ｍ，５ｍ）を一体的に設け、
前記底板（１）上において起立状態の前記左、右側板（２，３）を、該底板（１）の内側から外側へと摺動させることで該左、右側板（２，３）下縁の各下部止具（２ｍ，３ｍ）を対応する底板側受具（１ｆ）にそれぞれ嵌合させて、該底板（１）の左右側縁に該左、右側板（２，３）をそれぞれ起立状態に保持したのち、該底板（１）上において、起立状態の前記前、後側板（４，５）を、それら前、後側板（４，５）の両側縁を前記左、右側板（２，３）の内側面に当接させながら該底板（１）の内側から外側へと摺動させることでそれら前、後側板（４，５）下縁の各下部止具（４ｍ，５ｍ）を対応する底板側受具（１ｆ）にそれぞれ嵌合すると同時に、それら前、後側板（４，５）側縁の側部止具（４ｍ，５ｍ）を、左、右側板（２，３）側縁の対応する側板側受具（２ｆ，３ｆ）にそれぞれ嵌合させて、底板（１）の前後縁に前、後側板（４，５）をそれぞれ起立状態に保持することにより組み立てられることを特徴とする、組立式コンテナ。
【請求項２】
互いに嵌合する受具と止具の外面は、前、後側板（４，５）および左、右側板（２，３）の外面より突出することがなく、底板（１）の外周面と、前、後側板（４，５）および左、右側板（２，３）の外面とが略同一面に形成されることを特徴とする、前記請求項１記載の組立式コンテナ。
【請求項３】
前記互いに嵌合する受具と止具には、固定ピン（ｐ）が抜差可能に打ち込まれることを特徴とする、前記請求項１または２記載の組立式コンテナ。
【発明の詳細な説明】
【０００１】
【発明の属する技術分野】
本発明は、組立自在であり、再利用の可能な、組立式コンテナに関するものである。
【０００２】
【従来の技術】
従来、工場、家庭などで荷物の運搬用にコンテナが用いられているが、かかるコンテナとして、ダンボールなどで作られた使い捨てのものや、折り畳み式で再利用可能なものがよく知られている。
【０００３】
【発明が解決しようとする課題】
ところが、前記使い捨てのコンテナは、省資源化の要請に逆らうものであるばかりでなくコスト高になるという問題があり、また、折り畳み式で、再利用が可能なものは、その組立、分解が面倒で作業性が悪く、労務コストが嵩むという別の問題がある。
【０００４】
本発明はかかる実情に鑑みてなされたもので、再利用が可能であり、かつ組立、分解の容易な、新規な組立式コンテナを提供することを目的とするものである。
【０００５】
【課題を解決するための手段】
前記目的を達成するために、請求項１記載の発明は、底板と、その四辺に着脱可能に起立固定される、前、後側板および左、右側板とを備えた、組立式コンテナにおいて、
前記底板の四辺の各縁部に、該底板の内方に向けて開口する雌部を該底板との間で形成する底板側受具を一体的に設ける一方、前記前、後側板および左、右側板の各下縁には、前記底板側受具に嵌合してそれら側板を起立状態に保持し得る下部止具を一体的に設け、さらに前記左、右側板の側縁に、該左、右側板の内方に向けて開口する雌部を該左、右側板との間で形成する、前記底板側受具と同じ構造の側板側受具を一体的に設ける一方、前記前、後側板の側縁には、前記側板側受具に嵌合し得る側部止具を一体的に設け、前記底板上において起立状態の前記左、右側板を、該底板の内側から外側へと摺動させることで該左、右側板下縁の各下部止具を対応する底板側受具にそれぞれ嵌合させて、該底板の左右側縁に該左、右側板をそれぞれ起立状態に保持したのち、該底板上において、起立状態の前記前、後側板を、それら前、後側板の両側縁を前記左、右側板の内側面に当接させながら該底板の内側から外側へと摺動させることでそれら前、後側板下縁の各下部止具を対応する底板側受具にそれぞれ嵌合すると同時に、それら前、後側板側縁の側部止具を、左、右側板側縁の対応する側板側受具にそれぞれ嵌合させて、底板の前後縁に前、後側板をそれぞれ起立状態に保持することにより組み立てられることを特徴としており、かかる特徴によれば、受具と止具との嵌脱により、組立式コンテナの組付、分解を簡単容易に行うことができ、コンテナによる荷物の運搬能率を大幅に向上することができ、また、再利用が可能なことから省資源化に寄与することができ、さらにコンテナの製造コストを大幅に低減することができる。
【０００６】
また、前記目的を達成するために、請求項２記載の発明は、前記請求項１記載のものにおいて、互いに嵌合する受具と止具の、外面は、前、後側板および左、右側板の外面より突出することがなく、底板の外周面と、前、後側板および左、右側板の外面とが略同一面に形成されることを特徴としており、かかる特徴によれば、前記請求項１記載の発明と同じ効果を奏する上に、コンテナには、出張り部分がないため、他物に干渉することがなく、取り扱いに便利であり、さらに占有スペースが小さくて済む。
【０００７】
また、前記目的を達成するために、請求項３記載の発明は、前記請求項１記載のものにおいて、前記互いに嵌合する受具と止具には、固定ピンが抜差可能に打ち込まれることを特徴としており、かかる特徴によれば、前記請求項１記載の発明と同じ効果を奏する上に、受具と止具の嵌合部の嵌合強度を一層高めることができる。
【０００８】
【発明の実施例の形態】
以下、本発明の実施形態を、添付図面に示した本発明の実施例に基づいて説明する。
【０００９】
まず、図１〜６を参照して本発明の第１実施例について説明するに、図１は、組立式コンテナの斜視図、図２は、組立式コンテナの組み立て前の状態を示す平面図、図３は組立式コンテナの組み立て途中の状態を示す斜視図、図４は、図１の４矢視仮想縁部分の拡大図、図５は、図４の５−５線に沿う拡大断面図、図６は組立式コンテナの組み立て工程を示す平面図である。
【００１０】
図１、２に示すように、この組立式コンテナＣは、底板１と、この底板１の左右側縁に起立固定される、左、右側板２，３と、底板１の前後側縁に起立固定される前、後側板４，５とより、上面開放の直方体に形成され、底板１、左、右側板２，３および前、後側板４，５は、鉄板、アルミ板などの金属板、ベニヤ板などの木板、発泡スチロール板などの合成樹脂板、ダンボールなどの紙板などの適宜な材料により形成される。
【００１１】
長方形状に形成される底板１には、その長辺側の左右側縁に沿って４つの受具１ｆが、また、その短辺側の前後側縁に沿って２つの受具１ｆがそれぞれ間隔をあけて一体に形成されている。これらの底板側の受具１ｆは、何れも同じ構造を有していて、図４，５に明瞭に示すように、底板１の内方に向けて開口され、その周囲を閉じられた四角な雌部としての雌孔ｈを有して断面アングル状に形成されている。
【００１２】
一方、左、右側板２，３は底板１の長辺と同じ長さの長辺を有してそれぞれ長方形に形成され、その下縁の外面には、底板１の４つの受具１ｆに対応して４つの側板側の雄部としての止具２ｍ，３ｍが外向きに一体に突設されている。これらの止具２ｍ，３ｍは四角なブロック状に形成され、前記底板１の左右側縁の前記４つの受具１ｆにそれぞれ抜差自在に嵌合可能である。
【００１３】
また、図２，３に示すように、左、右側板２，３の前後側縁の内面には、前記底板１に設けた受具１ｆと同じ構造の２つの側板側の受具２ｆ，３ｆが上下方向に間隔をあけて固定されている。
【００１４】
さらに、前記前、後側板４，５は、その横幅が、底板１の短辺側に幅よりも短い四角形に形成され、それらの底縁の外面には、前記底板１の２つの受具２ｆに対応して、２つの止具４ｍ，５ｍが間隔をあけてそれぞれ固定され、さらに、それらの前、後側板４，５の外縁にも前記左、右側板２，３の２つの受具２ｆ，３ｆに対応する、２つの止具４ｍ，５ｍがそれぞれ間隔をあけて固定されている。
【００１５】
図１，３に示すように、コンテナＣの開口上面の、各コーナー部には、前側板４と、左、右側板３，４間および後側板５と左、右側板３，４の各上縁間に跨がって係止片７が抜差自在に係止される。
【００１６】
つぎに、図６を参照して、組立式コンテナＣの組み立て工程について説明すると、支持面に置かれる底板１上に、起立状態に保持した左、右側板２，３を、底板１の内側から外側へと矢印ａ方向に摺動（図６（ａ）参照）することにより、それらの下縁の４つの止具２ｍ，３ｍを、底板１の左右側縁の４つの受具１ｆの雌孔ｈにそれぞれ嵌合する。これにより、底板１の左右側縁には、左、右側板２，３がそれぞれ起立状態に保持される（図６（ｂ）参照）。
【００１７】
つぎに、底板１上において、左、右側板２，３間において、起立状態で保持した前、後側板４，５を、それら前、後側板４，５の両側縁を左、右側板２，３の内側面に当接させながら底板１の内側から外側へと矢印ｂ方向に摺動（図６（ｂ）参照）することにより、それらの下縁の２つの止具４ｍ，５ｍを、底板１の前後の２つの受具１ｆの雌孔ｈにそれぞれ嵌合すると同時に、それらの側縁の２つの止具４ｍ，５ｍを、左、右側板２，３の前後左右側縁の２つの受具２ｆ，３ｆの雌孔ｈにそれぞれ嵌合する。これにより、底板１の前後縁には、前、後側板４，５がそれぞれ起立状態に固定され、また左、右側板２，３と前、後側板４，５の互いに衝合する側縁同志が一体に接続される。
【００１８】
以上により、底板１には、左、右側板２，３および前、後側板４，５が固定され、最後に左、右側板２，３と、前、後側板４，５の各コーナー上縁に係止片７をそれぞれ係合して、図１に示す組立式コンテナが組み立てられる。
【００１９】
また、前記組立式コンテナＣを分解するときは、前記組立工程と逆の工程を行えばよい。
【００２０】
なお、前記係止片７は省略しても、組立式コンテナは、その使用状態を保持することが可能であり、前記係止片７は、これを省略してもよい。
【００２１】
また、組立式コンテナＣが、発泡スチロールなどの合成樹脂材、ベニヤ板などの木板により形成されときは、図５鎖線に示すように、互いに嵌合する、複数の受具、止具の少なくとも一部に固定ピンｐを打込むようにしてもよい。
【００２２】
以上のように、底板１、左、右側板２，３および前，後側板４，５に設けた、互いに対応する受具１ｆ，２ｆ，３ｆと、止具２ｍ，３ｍ，４ｍ，５ｍとを単に嵌脱するだけで、組立式コンテナＣを組み立て、あるいは分解することができ、荷物の運搬用コンテナとして極めて便利であり、またコンテナの再利用が可能であることから、コンテナによる荷物の運搬コストを低減し、省資源化に寄与することができる。
【００２３】
つぎに、図７，８を参照して、本発明組立式コンテナの第２実施例について説明するに、図７は、受具と、止具の嵌合状態を示す、一部破断斜視図、図８は、図７の８−８線に沿う断面図であり、図中、前記第１実施例と同じ要素には、同じ符号が付される。
【００２４】
この第２実施例は、互いに嵌合可能な受具と、止具のうち、受具の構造が、前記第１実施例のものと若干相違しており、すなわち底板１および左、右側板２，３に一体に形成される受具１ｆ，２ｆ，３ｆは、底板１あるいは左、右側板２，３の端縁に一体に突設した張出舌片をアングル状に屈曲して形成されており、該受具１ｆ，２ｆ，３ｆには、前方および左右の開放された雌孔ｈが形成され、この雌孔ｈに、止具２ｍ乃至５ｍが嵌合される。
【００２５】
しかして、この第２実施例では、組立式コンテナＣの素材として、鉄板、アルミ板などの金属板により形成するのに適している。
【００２６】
つぎに、図９〜１１を参照して、本発明組立式コンテナの第３実施例について説明するに、図９は、組立式コンテナの組み立て途中の状態を示す斜視図、図１０は、図９の１０矢視の仮想円囲い部分の拡大図、図１１は、図１０の１１−１１線に沿う断面図であり、図中、前記第１、２実施例と同じ要素には、同じ符号が付される。
【００２７】
この第３実施例は、底板１の外周面と、その上に組み立てられる左、右側板２，３および前、後側板４，５の外面とが同一面になるように設計した場合であり、コンテナＣの左、右側板２，３および前、後側板４，５は、何れも肉厚に形成され、その内部に、互いに嵌合する受具と、止具が納まるようにする。以下に、その構造を、図９，１０を参照して、その一例として、底板１と、前側板４の受具１ｆと、前側板の止具４ｍについて説明すると、底板１の側縁には、断面アングル状の受具１ｆが固定されており、この受具１ｆの幅ｄは、前側板４の肉厚Ｄよりも短い。そして、この受具１ｆには、底板１の内方およびその前後に開放する雌孔ｈが形成されている。一方、前側板４の下縁には、断面Ｌ字状の止具４ｍが固定され、この止具４ｍの内面は、前側板４の内面と同一面に形成される。底板１上に前側板４を起立固定すべく、受具１ｆに止具４ｍを嵌合すれば、図１１に示すように、底板１の外周面と前側板４の外面とが同一面となり、また、前側板４の内面に、受具１ｆと止具４ｍとの嵌合による段差が形成されない。
【００２８】
そして、図９，１０に示す受具と止具との嵌合により、図９に示すように、前記第１実施例と同じ組み立て工程にてコンテナＣを組み立てることができる。
【００２９】
また、この第３実施例のものでは、前記第１実施例の係止片７を省略して、コンテナＣの開口上面に、蓋板Ｃｏの裏面の凸部を嵌合させ、張出部のない、蓋板Ｃｏ付の組立式コンテナＣとして利用される。
【００３０】
以上、本発明の三実施例について説明したが、本発明はその実施例に限定されることなく、本発明の範囲内で種々の実施例が可能である。
【００３１】
たとえば、前記受具と止具の嵌合部の断面形状は、四角形状のほか、他の多角形状、円形状、三角形状などどのような形状であってもよい。また、それらの材質を問わない。
【００３２】
【発明の効果】
以上のように、本請求項１記載の発明によれば、受具と止具との嵌脱により、組立式コンテナの組付、分解を簡単容易に行うことができ、コンテナによる荷物の運搬能率を大幅に向上することができ、また、再利用が可能なことから省資源化に寄与することができ、さらにコンテナの製造コストを大幅に低減することができる。
【００３３】
また、本請求項２記載の発明によれば、前記請求項１記載の発明と同じ効果を奏する上に、コンテナには、出張り部分がないため、他物に干渉することがなく、取り扱いに便利であり、さらに占有スペースが小さくて済む。
【００３４】
さらに、本請求項３記載の発明によれば、前記請求項１記載の発明と同じ効果を奏する上に、受具と止具の嵌合部の嵌合強度を一層高めることができる。
【図面の簡単な説明】
【図１】  組立式コンテナの斜視図（第１実施例）
【図２】  組立式コンテナの組み立て前の状態を示す平面図
【図３】  組立式コンテナの組み立て途中の状態を示す斜視図
【図４】  図１の４矢視仮想縁部分の拡大図
【図５】  図４の５−５線に沿う拡大断面図
【図６】  組立式コンテナの組み立て工程を示す平面図
【図７】  受具と止具の嵌合状態を示す、一部破断斜視図（第２実施例  ）
【図８】  図７の８−８線に沿う断面図
【図９】  組立式コンテナの組み立て途中の状態を示す斜視図（第３実施例）
【図１０】  図９の１０矢視の仮想円囲い部分の拡大図
【図１１】  図１０の１１−１１線に沿う断面図
【符号の説明】
１        底板
１ｆ 底板側受具
２        左側板
３        右側板
４        前側板
５        後側板
２ｆ，３ｆ 側板側受具
２ｍ，３ｍ，４ｍ，５ｍ 止具
ｈ 雌部としての雌孔
ｐ        固定ピン
【図１】
0003934945.tif 000002
【図２】
0003934945.tif 000003
【図３】
0003934945.tif 000004
【図４】
0003934945.tif 000005
【図５】
0003934945.tif 000006
【図６】
0003934945.tif 000007
【図７】
0003934945.tif 000008
【図８】
0003934945.tif 000009
【図９】
0003934945.tif 000010
【図１０】
0003934945.tif 000011
【図１１】
0003934945.tif 000012